(57)【要約】      （修正有）【課題】部分的な交換のみならず、いす全体の交換を行う場合でもいす全体の取り外しを行うことなく、簡易かつ効率よく交換作業を行うことができる遊技機用いすを提供する。【解決手段】支持脚部１１と、箱体部２０と、箱体部２０の上部開口２５に対して開閉部３５を介して開閉自在に覆う座部３０と、箱体部２０の後部に傾動可能に配置された背もたれ部４０と、箱体部２０のいずれか一方の側部に配置された肘掛け部５０とを備え、座部２０、背もたれ部３０及び肘掛け部４０は、いずれも、箱体部２０に対して、取り外し容易な構造によって取付けられているとともに、座部３０、背もたれ部４０及び肘掛け部５０は、いずれも、基材部とクッション体と表布とを備えていて、表布は各基材部の裏面部において面ファスナーによって着脱自在に取付けられていることを特徴とする。【選択図】図３
0003133440.tif 000002
【実用新案登録請求の範囲】
【請求項１】
パチンコ遊技機又はスロットマシン遊技機等のための遊技場床部に固設される遊技機用いすであって、
下部に遊技場床部への取付部を有し、上部に前後方向へのスライド部を有する支持脚部と、
底板部、前板部、後板部ならびに左右の側板部によって上部開口部を有し内部が携行品収容空間とされ、前記スライド部を介して前記支持脚部に対して前後動自在に取り付けられた箱体部と、
前記箱体部の上部開口に対して開閉部を介して開閉自在に覆う座部と、
前記箱体部の後部に傾動可能に配置された背もたれ部と、
前記箱体部のいずれか一方の側部に配置された肘掛け部とを備え、
前記座部、背もたれ部及び肘掛け部は、いずれも、前記箱体部に対して、取り外し容易な構造によって取付けられているとともに、
前記座部、背もたれ部及び肘掛け部は、いずれも、基材部とクッション体と表布とを備えていて、前記表布は各基材部の裏面部において面ファスナーによって着脱自在に取付けられている
ことを特徴とする遊技機用いす。
【考案の詳細な説明】
【技術分野】
【０００１】
この考案はパチンコ遊技機又はスロットマシン遊技機等のための床部に固設される遊技機用いすに関する。
【背景技術】
【０００２】
例えばパチンコホール等の遊技店では、各遊技機（台）の正面に遊技機用いすが配置される。この種の遊技機用いすは、各遊技者が整然と遊技を楽しむことができるように、いすの脚部が所定の間隔でホールの床部に固設されている。
【０００３】
ところで、このような遊技機用いすでは、遊技者が気分よく遊技を行うことができるように、一定期間ごとに交換して常時きれいな状態にしておく必要がある。その際、前記遊技機用いすはホールの床部に固設されているため、ホールの床部からいす全体を適宜取り外して新たないすと交換しなければならなかった。
【０００４】
また、前記いすでは、遊技者が利用して一部に汚れが付着した際や、遊技店でのキャンペーン等のイベントを行う際の模様替え、前記遊技機用いすに広告を掲示する場合等、部分的な交換を必要とすることもある。しかしながら、部分的な交換を必要とする場合であっても、前期と同様にホールの床部からいすを取り外していす全体を交換するという極めて繁雑な交換作業を行わなければならなかった。
【考案の開示】
【考案が解決しようとする課題】
【０００５】
この考案は、このような状況に鑑み提案されたものであって、部分的な交換のみならず、いす全体の交換を行う場合でもいす全体の取り外しを行うことなく、簡易かつ効率よく交換作業を行うことができる遊技機用いすを提供することを目的とする。
【課題を解決するための手段】
【０００６】
すなわち、請求項１の考案は、パチンコ遊技機又はスロットマシン遊技機等のための遊技場床部に固設される遊技機用いすであって、下部に遊技場床部への取付部を有し、上部に前後方向へのスライド部を有する支持脚部と、底板部、前板部、後板部ならびに左右の側板部によって上部開口部を有し内部が携行品収容空間とされ、前記スライド部を介して前記支持脚部に対して前後動自在に取り付けられた箱体部と、前記箱体部の上部開口に対して開閉部を介して開閉自在に覆う座部と、前記箱体部の後部に傾動可能に配置された背もたれ部と、前記箱体部のいずれか一方の側部に配置された肘掛け部とを備え、前記座部、背もたれ部及び肘掛け部は、いずれも、前記箱体部に対して、取り外し容易な構造によって取付けられているとともに、前記座部、背もたれ部及び肘掛け部は、いずれも、基材部とクッション体と表布とを備えていて、前記表布は各基材部の裏面部において面ファスナーによって着脱自在に取付けられていることを特徴とする遊技機用いすに係る。
【考案の効果】
【０００７】
請求項１の考案に係るいすによれば、パチンコ遊技機又はスロットマシン遊技機等のための遊技場床部に固設される遊技機用いすであって、下部に遊技場床部への取付部を有し、上部に前後方向へのスライド部を有する支持脚部と、底板部、前板部、後板部ならびに左右の側板部によって上部開口部を有し内部が携行品収容空間とされ、前記スライド部を介して前記支持脚部に対して前後動自在に取り付けられた箱体部と、前記箱体部の上部開口に対して開閉部を介して開閉自在に覆う座部と、前記箱体部の後部に傾動可能に配置された背もたれ部と、前記箱体部のいずれか一方の側部に配置された肘掛け部とを備え、前記座部、背もたれ部及び肘掛け部は、いずれも、前記箱体部に対して、取り外し容易な構造によって取付けられているとともに、前記座部、背もたれ部及び肘掛け部は、いずれも、基材部とクッション体と表布とを備えていて、前記表布は各基材部の裏面部において面ファスナーによって着脱自在に取付けられているため、前記座部、背もたれ部及び肘掛け部を個別に交換することが可能となり、部分的な交換のみならず、いす全体の交換を行う場合でも前記いす全体を取り外すことなく、極めて簡易かつ効率よく交換作業を行うことができる。
【考案を実施するための最良の形態】
【０００８】
以下添付の図面に従ってこの考案を詳細に説明する。
図１はこの考案の一実施例を示す遊技機用いすの正面図、図２は図１の遊技機用いすの側面図、図３は座部が開放された状態の遊技機用いすの側面図、図４は背もたれ部が後部に傾動した状態の遊技機用いすの側面図、図５は座部の断面図、図６は背もたれ部の断面図、図７肘掛け部の断面図、図８は背もたれ部の傾動部材の側面図、図９は枢軸機構の開閉部の要部断面図である。
【０００９】
図１〜４に示す本考案の一実施例に係る遊技機用いす１０は、パチンコ遊技機又はスロットマシン遊技機等のための遊技場床部Ｆに固設されるものであって、支持脚部１１と、箱体部２０と、座部３０と、背もたれ部４０と、肘掛け部５０とを備える。
【００１０】
支持脚部１１は、下部に遊技場床部Ｆへの取付部１２を有し、上部に前後方向へのスライド部１３を有する。この支持脚部１１のスライド部１３としては、バネ等の付勢部材を用いて常時前方に付勢し、レール部材を介して前後にスライド自在に構成した公知の部材が使用される。
【００１１】
箱体部２０は、底板部２１、前板部２２、後板部２３ならびに左右の側板部２４Ａ，２４Ｂによって上部開口部２５を有し内部が携行品収容空間Ｓとされ、スライド部１５を介して支持脚部１１に対して前後動自在に取り付けられる。実施例の箱体部２０は、合板の外周側面にウレタン等からなるカバー体を被覆して構成される。
【００１２】
座部３０は、箱体部２０の上部開口２５に対して開閉部３５を介して開閉自在に覆うように構成される。この座部３０において、開閉部３５は公知のヒンジ部材からなり、図３に示すように、箱体部２０の前板部２２上部に設けて前記箱体部２０の前側方向に開閉可能とすることにより、限られた空間で効果的に座部３０を開閉することができ、前記座部３０の開閉時に他の遊技者の遊技を妨げることがない。
【００１３】
また、この座部３０は、箱体部２０に対して取り外し容易な構造によって取付けられるものであって、実施例では、ヒンジ部材である開閉部３５を前板部２２上部の２箇所にボルト（図示せず）で固定されている。さらに、座部３０は、図５に示すように、基材部３１とクッション体３２と表布３３とを備えていて、表布３３が基材部３１の裏面部３１Ａにおいて面ファスナー３４によって着脱自在に取付けられるように構成されている。
【００１４】
背もたれ部４０は、図４に示すように、箱体部２０の後部に傾動可能に配置される。この背もたれ部４０は、箱体部２０に対して取り外し容易な構造によって取付けられるものであって、実施例では、箱体部２０の後板部２３上部に配置された取付部材４５にボルト４９で固定されている。この取付部材４５は、図４，８に示すように、箱体部２０の右側板部２４Ｂに配置されシリンダー部材からなる傾動機構部４６を介して接続されたレバー部材４７の操作に対応して傾動するように構成される。また、背もたれ部４０は、図６に示すように、基材部４１とクッション体４２と表布４３とを備えていて、表布４３が基材部４１の裏面部４１Ａにおいて面ファスナー４４によって着脱自在に取付けられるように構成されている。
【００１５】
肘掛け部５０は、遊技中に遊技者が肘を載せることが可能に構成されたものであって、箱体部２０のいずれか一方の側部に配置される。この肘掛け部５０は、箱体部２０に対して取り外し容易な構造によって取付けられ、実施例では、箱体部２０の左側板部２４Ａにボルト５９Ａで固定されたＵ字型の取付部材５５を介して所定の高さに配置される。また、肘掛け部５０は、図７に示すように、基材部５１とクッション体５２と表布５３とを備えていて、表布５３が基材部５１の裏面部５１Ａにおいて面ファスナー５４によって着脱自在に取付けられるように構成されている。なお、図において符号５９Ｂは肘掛け部５０取付部材５５に固定するためのボルトである。
【００１６】
以上の構成からなるこの考案の遊技機用いす１０にあっては、座部３０、背もたれ部４０及び肘掛け部５０が、いずれも、箱体部２０に対して、取り外し容易な構造によって取付けられているため、前記各部３０，４０，５０の分解や組み立てを簡易に行うことができる。
【００１７】
また、座部３０、背もたれ部４０及び肘掛け部５０は、いずれも、基材部３１，４１，５１とクッション体３２，４２，５２と表布３３，４３，５３とを備えていて、前記表布３３，４３，５３は各基材部３１，４１，５１の裏面部３１Ａ，４１Ａ，５１Ａにおいて面ファスナー３４，４４，５４によって着脱自在に取付けられているため、各表布３３，４３，５３を取り替えるだけで前記各部３０，４０，５０の個別の交換を容易に行うことができ、模様替えや汚れた部分のみの取り替え等、部分的な交換を極めて効率よく行うことができる。同様に、いす全体の交換を行う場合であっても、各部３０，４０，５０の各表布３３，４３，５３を取り替えるだけで容易に実施することができる。したがって、いす全体をホールの床部から取り外す繁雑な作業が不要となり、極めて簡易かつ効率よくいすの交換作業を行うことができる。
【００１８】
なお、本考案の遊技機用いすは、前述の実施例のみに限定されるものではなく、考案の趣旨を逸脱しない範囲において構成の一部を適宜に変更して実施することができる。例えば、実施例の遊技機用いすでは、座部３０の開閉部３５をヒンジ部材によって構成したが、図９に示すように、クリップ体３５Ａによる枢軸構造としてもよい。この実施例において、クリップ体３５Ａは箱体部２０の前板部２２上部に設けられ、座部３０の基材部３１裏面部３１Ａに形成された溝部３７内の枢軸部３６に対して着脱自在に構成される。これにより、座部３０の取り外しや組み立てをより簡易な構成で効率よく行うことができる。
【図面の簡単な説明】
【００１９】
【図１】この考案の一実施例を示す遊技機用いすの正面図である。
【図２】図１の遊技機用いすの側面図である。
【図３】座部が開放された状態の遊技機用いすの側面図である。
【図４】背もたれ部が後部に傾動した状態の遊技機用いすの側面図である。
【図５】座部の断面図である。
【図６】背もたれ部の断面図である。
【図７】肘掛け部の断面図である。
【図８】傾動機構部の側面図である。
【図９】枢軸機構の開閉部の要部断面図である。
【符号の説明】
【００２０】
１０  遊技用いす
１１  支持脚部
１２  取付部
１３  スライド部
２０  箱体部
２１  底板部
２２  前板部
２３  後板部
２４Ａ  左側板部
２４Ｂ  右側板部
２５  上部開口
３０  座部
３５  開閉部
４０  背もたれ部
５０  肘掛け部
Ｆ    遊技場床部
Ｓ    携行品収容空間
【図１】
0003133440.tif 000003
【図２】
0003133440.tif 000004
【図３】
0003133440.tif 000005
【図４】
0003133440.tif 000006
【図５】
0003133440.tif 000007
【図６】
0003133440.tif 000008
【図７】
0003133440.tif 000009
【図８】
0003133440.tif 000010
【図９】
0003133440.tif 000011